(57)【要約】【課題】  製造が簡単で組み合わせが容易であり、内部から光を射出できる声光スピーカの構造を提供する。【解決手段】  サポート１は底部に磁気回路５が設けられ、磁気回路５上には音声リング２が取り付けられている。音声リング２には音声トレー３が貼り付けられ、音声トレー３とサポート１との間にはエッジ４が貼り付けられている。音声トレー３は光の通る薄いものであり、磁気回路５の前後には発光部材７の設置に供される孔６が設けられている。スピーカが組み立てられるとき、発光部材７は音声トレー３と磁気回路５の内部空間に設置され、音声を出力するほかに発光効果を発生可能である。【選択図】    図３
0003114680.tif 000002
【実用新案登録請求の範囲】
【請求項１】
声光スピーカの構造であって、
サポートは底部に磁気回路が設けられ、磁気回路上には音声リングが取り付けられ、音声リングには音声トレーが貼り付けられ、音声トレーとサポートとの間にはエッジが貼り付けられ、音声トレーは光の通る薄いものであり、磁気回路の前後には発光部材の設置に供される孔が設けられ、
スピーカが組み立てられるとき、発光部材は音声トレーと磁気回路の内部空間に設置され、音声を出力するほかに発光効果を発生可能であることを特徴とする声光スピーカの構造。
【請求項２】
磁気回路は、Ｕ型の円鉄内に磁石が置かれ、更に鉄片を被せて構成され、それに設けられている孔は前後の径が同一で円鉄、磁石及び鉄片を貫通して設けられていることを特徴とする請求項１記載の声光スピーカの構造。
【請求項３】
磁気回路は、Ｕ型の円鉄内に磁石が置かれ、更に鉄片を被せて構成され、前記孔は階段孔で円鉄、磁石及び鉄片を貫通して設けられ、口径の小さい方は鉄片に設けられていることを特徴とする請求項１記載の声光スピーカの構造。
【請求項４】
発光部材は、ＬＥＤ発光ダイオードであることを特徴とする請求項１記載の声光スピーカの構造。
【請求項５】
音声トレーは、有色透明のプラスチックから作られ、輻射状の凹凸弧紋が設けられていることを特徴とする請求項１記載の声光スピーカの構造。
【考案の詳細な説明】
【技術分野】
【０００１】
本考案は、スピーカの創造改善に関するものであり、特に、製造が簡単で組み合わせが容易であり、スピーカの音声トレー及び磁気回路の空間に発光部材を設置し、スピーカは音声を出力するほかに自体の内部から光が射出する声光スピーカの構造を指すものである。
【背景技術】
【０００２】
周知のスピーカは、図１に示す如く、構造は設計上音声だけを出力することができ、視覚の効果に欠けて、使用上やや単調であるため、中華民国特許第３９７３１２号の公告では声光のあるスピーカ装置を開示しており、それは次のものを含む。ケーシングは、表板両側にそれぞれ円弧形の凹直溝またはスピーカの周縁側面に円弧形の凹入環溝があり、または、前述両者がともにあって、それぞれ直形ネオン管または環形ネオン管の設置に用いられる。スピーカは、一つまたは二つでもよく、それぞれ前述ケーシングの表板に取り付けて定位されている。発光装置は、それぞれ直形ネオン管、直形透光フード及び直形ネオン管に取り付けられている複数の弾性環が結合してなる。または、環形ネオン管は、環形透光フード及び環形ネオン管に取り付けてある複数の弾性環が結合してなる。または、前述両者がともに結合してなる。それぞれ前述ケーシングの表板の円弧形凹直溝または円弧形凹環溝に嵌め付けられている。前述スピーカは、使用される場合、同調して光線、光環または前述両者をともに射出することに用いられる。
【０００３】
ところが、このように設計された光源は、スピーカの側辺だけから射出し、スピーカ自体の内部から光を射出することができず、声光の表現方式に局限を受け、それがこの設計の欠点でもある。
【考案の開示】
【考案が解決しようとする課題】
【０００４】
このことに鑑み、本考案の考案者は、多方面に深く研究し、実験と改善を経た後、遂に本考案の開発に成功した。
本考案の主な目的は、製造が簡単で組み立てが容易であり、スピーカの音声トレーと磁気回路の空間に発光部材が設けられ、スピーカは音声を出力するほかに自体の内部から光が射出する声光スピーカの構造を設計するものである。
【課題を解決するための手段】
【０００５】
前述目的を達成するため、本考案が行う声光スピーカの構造の主要は、次のものを含む。サポートは、底部に磁気回路が設けられ、磁気回路上には音声リングが取り付けられ、音声リングには音声トレーが貼り付けられ、音声トレーとサポートとの間にはエッジが貼り付けられている。それの特徴は、音声トレーは光の通る薄いものであり、磁気回路の前後には発光部材の設置に供される孔が設けられている。これにより、スピーカが組み立てられるとき、発光部材は音声トレーと磁気回路の内部空間に設置され、音声を出力するほかに発光効果を発生することができ、スピーカの製造と応用は更に多元になり、より多くの変化が発生する。
【考案を実施するための最良の形態】
【０００６】
本考案の構成内容及びその他特徴を了解していただくため、ここに図面と合わせて実施例を次の如く詳細説明する。
図２から図６に示す如く、本考案の一実施例による声光スピーカの構造は、次のものを含む。
【０００７】
サポート１は、底部に磁気回路５が設けられている。
音声リング２は、磁気回路５の上に突きあがって設けられている。
音声トレー３は、音声リング２に貼り付けられている。
エッジ４は、音声トレー３とサポート１との間に貼り付けられている。
【０００８】
改善の特徴は、音声トレー３は光が透る薄いものであり、磁気回路５の前後には発光部材７の設置に供される孔６が設けられている。
実施時は、図２から図４に示す如く、磁気回路５はＵ型の円鉄５１内に磁石５２が置かれ、更に鉄片５３を被せて構成され、それに設けられている孔６は前後の径が同じで円鉄５１、磁石５２及び鉄片５３を貫通して設けられ、発光部材７が設置されたら、後側には補助スリーブ８が設けられて孔６を隔てて塞ぐことができ、または、図３に示す如く、ランプカバー７１を接着剤で孔６との間隔につけて粘着し、または、図５に示す如く、製造時に磁気回路５の孔６を階段孔のように設け、口径の小さい方を鉄片５３に設けて、発光部材７のランプカバー７１を差し込み固定する。
【０００９】
また、図４から図６に示す如く、本実施例に用いられる発光部材７はＬＥＤ発光ダイオードでもよく、音声トレー３は有色透明のプラスチックから作られ、それには更に輻射状の凹凸弧紋３１が設け加えられて光線の射出効果が増進され、これにより、スピーカを組み立てるとき、発光部材７は音声トレー３及び磁気回路５の内部空間に設置され、音声を出力するほかに発光効果を発生することができ、スピーカの製造と応用は更に多元になってより多くの変化が発生し、音声と光が結合され、違った音量の大きさによってランプの光は強弱に変化し、視覚と聴覚の臨場感が更に増える。
【００１０】
上述をまとめると、本考案に設けられる構造は、確実に音声と光を有効に結合することができ、スピーカの製造と応用は更に多元に変化し、視覚と聴覚の臨場感が更に増進することが達成され、それの機能は従来のものよりはるかに勝り、進歩性と産業の利用価値があるので、法に従って新型実用新案の申請を提出する。
【００１１】
上述の具体的実施例は、本考案の目的、特徴及び機能を詳細説明することに用いるもので、この種の技術を熟知するものが上述の説明によりそれら具体的実施例に対して部分的変更及び改修を行うことができるが、その本質が本考案の精神範疇を離脱しないものはすべて本考案の請求の範囲に含まれるものとする。
【図面の簡単な説明】
【００１２】
【図１】従来のスピーカの構造を示す模式図である。
【図２】本考案の一実施例による声光スピーカの構造の分解状態を示す模式図である。
【図３】本考案の一実施例による声光スピーカの構造を示す模式図である。
【図４】本考案の一実施例による声光スピーカの構造の音声トレーの表面に輻射紋路が設けられている状態を示す模式図である。
【図５】本考案の一実施例による声光スピーカの構造の磁気回路に階段式孔が設けられている状態を示す模式図である。
【図６】本考案の一実施例による声光スピーカの構造の応用を示す模式図である。
【符号の説明】
【００１３】
１  サポート、２  音声リング、３  音声トレー、４  エッジ、５  磁気回路、６  孔、７  発光部材、８  スリーブ、３１  凹凸弧紋、５１  円鉄、５２  磁石、５３  鉄片、７１  ランプカバー
【図１】
0003114680.tif 000003
【図２】
0003114680.tif 000004
【図３】
0003114680.tif 000005
【図４】
0003114680.tif 000006
【図５】
0003114680.tif 000007
【図６】
0003114680.tif 000008